(57)【要約】【課題】鉄筋への取付けが簡単かつ確実でしかも、強固に鉄筋に固定されてコンクリート打設中に移動することのないコンクリートスペーサを提供する。【解決手段】型枠１１内に配置された鉄筋１２と型枠１１の隙間を確保するためのコンクリートスペーサ１０であって、セメント固形物又は樹脂固形物からなって、型枠１１の内側と鉄筋１２との間に配置されるスペーサ本体１３と、スペーサ本体１３の後部に固着され、下方に突出して後方に折り曲げ可能な折り曲げ部１４を有する鉄筋当接部材１５と、スペーサ本体１３の後部に固定されて、スペーサ本体１３の後部両側に突出する結束線１６とを有する。【選択図】図１
0003124727.tif 000002
【実用新案登録請求の範囲】
【請求項１】
型枠内に配置された鉄筋と前記型枠の隙間を確保するためのコンクリートスペーサであって、
セメント固形物又は樹脂固形物からなって、前記型枠の内側と前記鉄筋との間に配置されるスペーサ本体と、
前記スペーサ本体の後部に固着され、下方に突出して後方に折り曲げ可能な折り曲げ部を有する鉄筋当接部材と、
前記スペーサ本体の後部に固定されて、該スペーサ本体の後部両側に突出する結束線とを有することを特徴とするコンクリートスペーサ。
【請求項２】
請求項１記載のコンクリートスペーサにおいて、前記鉄筋当接部材は鉄板からなって、前記結束線は折り曲げ容易な金属線からなることを特徴とするコンクリートスペーサ。
【請求項３】
請求項２記載のコンクリートスペーサにおいて、前記結束線は、前記鉄板に固定又は保持され、前記鉄板は該鉄板を貫通する複数のピン部材によって、前記スペーサ本体に固定されていることを特徴とするコンクリートスペーサ。
【請求項４】
請求項２及び３のいずれか１項に記載のコンクリートスペーサにおいて、前記鉄板は、前記スペーサ本体の後部に取付けられる矩形部と該矩形部の中央下部に連結される左右対称の台形又は矩形の前記折り曲げ部とを有して、前記折り曲げ部の下端の幅が、前記矩形部の幅から前記折り曲げ部の上端の幅を引いた長さと同一になっていることを特徴とするコンクリートスペーサ。
【請求項５】
請求項２〜４のいずれか１項に記載のコンクリートスペーサにおいて、前記折り曲げ部の上端には丸孔が設けられて、前記折り曲げ部がその上端で折り曲げ易くなっていることを特徴とするコンクリートスペーサ。
【請求項６】
請求項２〜５のいずれか１項に記載のコンクリートスペーサにおいて、前記結束線の長さは片側１５〜４０ｃｍの範囲にあることを特徴とするコンクリートスペーサ。
【請求項７】
請求項２〜６のいずれか１項に記載のコンクリートスペーサにおいて、前記結束線は、鈍し鉄線であることを特徴とするコンクリートスペーサ。
【考案の詳細な説明】
【技術分野】
【０００１】
この考案は、鉄筋コンクリート構造物の鉄筋工事における配筋時に、鉄筋と型枠との隙間に装着し、鉄筋のかぶり管理に使用するコンクリートスペーサに関する。
【背景技術】
【０００２】
鉄筋コンクリート構造物の施工現場においては、組み立てるコンクリート構造物の骨組みとなる鉄筋をコンクリートスペーサによって安定的に支持させ、鉄筋に対する打設コンクリートのかぶり厚みを確保することが必要である。このため、従来は鉄製のスペーサを鉄筋に取付けて鉄筋と型枠との距離を確保していたが、鉄製のスペーサでは施工後に型枠に接していたスペーサの一部が露出し、その部分から腐食が鉄筋内に進入するので、例えば、特許文献１、２に記載のようにコンクリート製のブロックを用いた鉄筋用スペーサが提案されていた。
【０００３】
【特許文献１】特開２０００−１４５０２１号公報
【特許文献２】特開２００５−３０７５１３号公報
【考案の開示】
【考案が解決しようとする課題】
【０００４】
しかしながら、これらの鉄筋用スペーサにおいては、構造が複雑であるので製作及び取付けに手間を要するという問題や、鉄筋への固定が不十分でコンクリートの打設中に位置がずれたり外れたりしてしまい、このため基準化されたかぶりが確保できない場合があった。
本考案はかかる事情に鑑みてなされたもので、鉄筋への取付けが簡単かつ確実でしかも、強固に鉄筋に固定されてコンクリート打設中に移動することのないコンクリートスペーサを提供することを目的とする。
【課題を解決するための手段】
【０００５】
前記目的に沿う第１の考案に係るコンクリートスペーサは、型枠内に配置された鉄筋と前記型枠の隙間を確保するためのコンクリートスペーサであって、
セメント固形物又は樹脂固形物からなって、前記型枠の内側と前記鉄筋との間に配置されるスペーサ本体と、
前記スペーサ本体の後部に固着され、下方に突出して後方に折り曲げ可能な折り曲げ部を有する鉄筋当接部材と、
前記スペーサ本体の後部に固定されて、該スペーサ本体の後部両側に突出する結束線とを有する。
【０００６】
ここで、セメント固形物とは、セメントを結合材として用いたモルタル又はコンクリートをいい、樹脂固形物とはセメントの代わりに樹脂を使用した固形物又は樹脂単体の固形物をいう。また、結束線には、例えば、鉄線、亜鉛めっき鉄線、アルミ又はアルミ合金からなる金属線や、天然繊維又は合成繊維からなる紐状物等も含む。
なお、施工する鉄筋は１本の場合でも良いが、太径鉄筋などの場合を考慮すると２ヶ所の場合がより安定する。
【０００７】
また、第２の考案に係るコンクリートスペーサは、第１の考案に係るコンクリートスペーサにおいて、前記鉄筋当接部材は鉄板からなって、前記結束線は折り曲げ容易な金属線からなる。
【０００８】
第３の考案に係るコンクリートスペーサは、第２の考案に係るコンクリートスペーサにおいて、前記結束線は、前記鉄板に固定又は保持され、前記鉄板は該鉄板を貫通する複数のピン部材によって、前記スペーサ本体に固定されている。
【０００９】
第４の考案に係るコンクリートスペーサは、第２、第３の考案に係るコンクリートスペーサにおいて、前記鉄板は、前記スペーサ本体の後部に取付けられる矩形部と該矩形部の中央下部に連結される左右対称の台形又は矩形の前記折り曲げ部とを有して、前記折り曲げ部の下端の幅が、前記矩形部の幅から前記折り曲げ部の上端の幅を引いた長さと同一になっている。
【００１０】
第５の考案に係るコンクリートスペーサは、第２〜第４の考案に係るコンクリートスペーサにおいて、前記折り曲げ部の上端には丸孔が設けられて、前記折り曲げ部がその上端で折り曲げ易くなっている。
【００１１】
第６の考案に係るコンクリートスペーサは、第２〜第５の考案に係るコンクリートスペーサにおいて、前記結束線の長さは片側１５〜４０ｃｍ（更に好ましくは、片側１５〜２５ｃｍ）の範囲にある。
【００１２】
そして、第７の考案に係るコンクリートスペーサは、第２〜第６の考案に係るコンクリートスペーサにおいて、前記結束線は、鈍し鉄線である。
【考案の効果】
【００１３】
本考案に係るコンクリートスペーサは、スペーサ本体がセメント固形物又は樹脂固形物からなっているので、施工後に型枠等に接したコンクリートスペーサの露出部分から腐食することがない。
また、スペーサ本体の後部両側に突出する結束線を用いて鉄筋に取付け、スペーサ本体の下方に突出する折り曲げ部によってもコンクリートスペーサが支持されるので、コンクリートの打設中に移動したり、傾いたりすることがない。
そして、このコンクリートスペーサは構造が簡単であるので、安価に製造ができる。
【考案を実施するための最良の形態】
【００１４】
続いて、添付した図面を参照しながら、本考案に係るコンクリートスペーサの実施の形態について説明し、本考案の理解に供する。
ここに、図１（Ａ）は本考案の第１の実施の形態に係るコンクリートスペーサの使用状態を示す斜視図、（Ｂ）は同側面図、図２は同コンクリートスペーサの部品となる鉄板の加工状況を示す平面図、図３（Ａ）、（Ｂ）はそれぞれ本考案の第２、第３の実施の形態に係るコンクリートスペーサの背面図、図４（Ａ）〜（Ｄ）はそれぞれ本考案の第４の実施の形態に係るコンクリートスペーサの正面図、側面図、平面図、斜視図である。図５（Ａ）〜（Ｃ）はそれぞれ本考案の第５の実施の形態に係るコンクリートスペーサの平面図、正面図、側面図である。
【００１５】
図１に示すように、本考案の一実施の形態に係るコンクリートスペーサ１０は、セメント固形物（又は樹脂固形物）からなって、型枠１１の内側と鉄筋１２との間に配置されるスペーサ本体１３と、スペーサ本体１３の後部に固着され、下方に突出して後方に折り曲げ可能な折り曲げ部１４を有する鉄筋当接部材の一例である鉄板１５と、スペーサ本体１３の後部に固定されて、スペーサ本体１３の後部両側に突出する紐状の結束線１６とを有する。
【００１６】
スペーサ本体１３は、後部（鉄筋１２に鉄板１５を介して当接する側）が矩形状となって、先側（型枠１１に当接する側）に向かって徐々に断面積が小さくなる角錐台状となって、セメントモルタル（セメント固形物の一例）によって作られている。スペーサ本体１３の長さ（高さｈ）は、規格によっても異なるが通常４〜８ｃｍの範囲となっている。矩形状となったスペーサ本体１３の後端部の幅ａは、取付ける鉄筋の直径の１．２〜３倍程度（例えば、１５〜５０ｍｍ）となって、その高さｂは（０．３〜１）ａ程度となっている。スペーサ本体１３の先端部は型枠１１に確実に接するように矩形平面となっていてもよいし、断面円弧状となっていてもよい。
【００１７】
スペーサ本体１３の後部に配置される鉄板１５は、厚みが０．２〜０．５ｍｍの鈍し鉄板からなり、図２に示すようにＴ字状となって、スペーサ本体１３の後端部に当接する矩形部１７とその下部中央に連接される折り曲げ部１４とを有している。矩形部１７の広さはスペーサ本体１３の後端部の広さと同等か、少し大きくなって、スペーサ本体１３の後端部から周縁が突出するようにしている。
そして、折り曲げ部１４の下端の幅ｃが、矩形部１７の幅ａ１から折り曲げ部１４の上端の幅ｄを引いた長さと同一になって、一枚の帯板１９から多数の鉄板１５が無駄なく多数枚取れるようになっている。
【００１８】
各鉄板１５の矩形部１７には複数の円形孔２０を有し、この円形孔２０に硬質合成樹脂（ポリプロピレン、ＡＢＳ、ポリ塩化ビニール、ナイロン等）によって構成された丸ビス状や頭付きピン状のピン部材２１が嵌入して取付けられ、スペーサ本体１３にその先部が嵌入するようになっている。このピン部材２１及び鉄板１５のスペーサ本体１３への固定は、スペーサ本体１３を型に入れて鋳こむ際に取付けられる。このピン部材はセラミックやモルタル等によって構成してもよい。
【００１９】
矩形部１７の中央部分には２つの小孔２２が設けられ、この小孔２２に結束線１６が貫通している。この２つの小孔２２の間では結束線１６はスペーサ本体１３内に埋めこまれている。この結束線１６はこの実施の形態では、直径が例えば０．５〜１ｍｍ程度の鈍し鉄線が用いられているが、このコンクリートスペーサ１０を鉄筋に確実に固定できる紐状物であれば、他の素材であってもよい。この結束線１６は、全長が約３０〜８０ｃｍとなって、両側に均等に約１５〜４０ｃｍ程突出している。
【００２０】
図３（Ａ）、（Ｂ）に第２、第３の実施の形態に係るコンクリートスペーサ２４、２５を示すが、スペーサ本体１３の後部（背部）に設けられた鉄板２６、２７の形状が、第１の実施の形態に係るコンクリートスペーサ１０の鉄板１５と異なっている。第２の実施の形態に係るコンクリートスペーサ２４の鉄板２６においては、折り曲げ部１４の上端、即ち矩形部１７との連接部分に丸孔２８が設けられて、折り曲げ部１４がその上端で折り曲げ易くなっている。なお、丸孔２８の直径は折り曲げ部１４の上端の幅の１／３〜２／３程度がよい。
【００２１】
一方、図３（Ｂ）に示す第３の実施の形態に係るコンクリートスペーサ２５の鉄板２７においては、折り曲げ部３０の上端の幅が狭くなって、折り曲げ部３０が台形状となって、折り曲げ部３０がその上端で折り曲げ易くなっている。なお、折り曲げ部３０の下端の幅ｅは、矩形部１７の幅ａ１から折り曲げ部３０の上端の幅ｆを引いた長さに一致し、一枚の帯板から複数の鉄板２７が歩留りよく取れるようになっている。
【００２２】
続いて、図４（Ａ）〜（Ｄ）に示す第４の実施の形態に係るコンクリートスペーサ３２について説明するが、鉄板３３の矩形部３４の上下方向中央でその両側にはプレス加工によってＵ字状折り曲げ部３５、３６が形成され、内部に結束線の一例である鈍し鉄線３７が挿通されている。そして、スペーサ本体３８ａの前端が断面円弧状となっている。なお、その他の部分は第１の実施の形態に係るコンクリートスペーサ１０と同一であるので、同一の番号を付してその詳しい説明を省略する（第２、第３、第５の実施の形態においても同じ）。
【００２３】
続いて、図５（Ａ）〜（Ｃ）に示す第５の実施の形態に係るコンクリートスペーサ３８について説明するが、図に示すように、スペーサ本体１３の後部に取付けられている硬質プラスチック製の板３９には折り曲げ掛止突起４０、４１が設けられて、この折り曲げ掛止突起４０、４１がスペーサ本体１３内に食い込んで、板３９とスペーサ本体１３との連結を図っている。この折り曲げ掛止突起４０、４１は板３９の矩形部４２の一部を打ち抜いて４５〜９０度程度折り曲げたものである。
また、結束線４３は板３９の裏側に配置され、中央でＶ字状に折り曲げられ、スペーサ本体１３内に埋設されている。板３９の折り曲げ部３０は、第３の実施の形態に係るコンクリートスペーサ２５の折り曲げ部と同一である。
【図面の簡単な説明】
【００２４】
【図１】（Ａ）は本考案の第１の実施の形態に係るコンクリートスペーサの使用状態を示す斜視図、（Ｂ）は同側面図である。
【図２】同コンクリートスペーサの部品となる鉄板の加工状況を示す平面図である。
【図３】（Ａ）、（Ｂ）はそれぞれ本考案の第２、第３の実施の形態に係るコンクリートスペーサの背面図である。
【図４】（Ａ）〜（Ｄ）はそれぞれ本考案の第４の実施の形態に係るコンクリートスペーサの正面図、側面図、平面図、斜視図である。
【図５】（Ａ）〜（Ｃ）はそれぞれ本考案の第５の実施の形態に係るコンクリートスペーサの平面図、正面図、側面図である。
【符号の説明】
【００２５】
１０：コンクリートスペーサ、１１：型枠、１２：鉄筋、１３：スペーサ本体、１４：折り曲げ部、１５：鉄板、１６：結束線、１７：矩形部、１９：帯板、２０：円形孔、２１：ピン部材、２２：小孔、２４、２５：コンクリートスペーサ、２６、２７：鉄板、２８：丸孔、３０：折り曲げ部、３２：コンクリートスペーサ、３３：鉄板、３４：矩形部、３５、３６：Ｕ字状折り曲げ部、３７：鈍し鉄線、３８：コンクリートスペーサ、３８ａ：スペーサ本体、３９：板、４０、４１：折り曲げ掛止突起、４２：矩形部、４３：結束線
【図１】
0003124727.tif 000003
【図２】
0003124727.tif 000004
【図３】
0003124727.tif 000005
【図４】
0003124727.tif 000006
【図５】
0003124727.tif 000007